Podtech/llm-jp-corpus-v4-ja_patent huggingface dataset:
【手続補正書】
【提出日】平成20年1月28日(2008.1.28)
【手続補正１】
【補正対象書類名】特許請求の範囲
【補正対象項目名】全文
【補正方法】変更
【補正の内容】
【特許請求の範囲】
【請求項１】
第１画像と第２画像の差分画像を出力する画像処理装置であって、
前記第１画像及び前記第２画像を入力する入力手段と、
前記第１画像及び前記第２画像それぞれに複数の関心領域を設定し、その関心領域毎に該第１画像及び該第２画像間のずれ量を表すシフトベクトルを計算するシフトベクトル計算手段と、
前記シフトベクトルに対してフィルタ処理を実行するフィルタ手段と、
前記フィルタ手段でフィルタ処理されたシフトベクトルを補間する補間手段と、
前記補間手段で補間されたシフトベクトルに基づいて、前記第１画像及び前記第２画像を位置合わせする位置合わせ手段と、
前記位置合わせされた画像の対応する画素間で差分演算を行う差分演算手段と、
前記差分演算手段によって得られる差分画像を出力する出力手段と
を備えることを特徴とする画像処理装置。
【請求項２】
前記入力手段は、前記第１画像及び前記第２画像として、被写体に対するＸ線照射量に対して線形階調特性を有する画像を入力する
ことを特徴とする請求項１に記載の画像処理装置。
【請求項３】
前記シフトベクトル計算手段は、相互相関法により前記関心領域の間のシフトベクトルを計算する
ことを特徴とする請求項１に記載の画像処理装置。
【請求項４】
前記フィルタ手段は、前記シフトベクトルに対して、加重平均処理を行った前後の差の中央絶対偏差に基づいて、該加重平均処理を所定回数行うことにより、前記フィルタ処理を実行する
ことを特徴とする請求項３に記載の画像処理装置。
【請求項５】
前記フィルタ手段は、前記シフトベクトルに対して、前記シフトベクトル計算手段により計算された相互相関係数に基づいて、前記加重平均処理を実行する
ことを特徴とする請求項４に記載の画像処理装置。
【請求項６】
前記フィルタ手段は、前記関心領域におけるテクスチャの複雑度に基づいて、前記シフトベクトルに対し前記加重平均処理を実行する
ことを特徴とする請求項４に記載の画像処理装置。
【請求項７】
前記フィルタ手段は、前記シフトベクトルに対し、所定区間単位で前記フィルタ処理を実行する
ことを特徴とする請求項１に記載の画像処理装置。
【請求項８】
前記補間手段は、前記フィルタ手段でフィルタ処理されたシフトベクトルに対して、スプライン補間を実行する
ことを特徴とする請求項１に記載の画像処理装置。
【請求項９】
前記補間手段は、所定区間単位で、前記フィルタ手段でフィルタ処理されたシフトベクトルに対して、スプライン補間を実行する
ことを特徴とする請求項１に記載の画像処理装置。
【請求項１０】
前記シフトベクトル計算手段、前記フィルタ手段、前記補間手段及び前記位置合わせ手段による処理を所定回数繰り返すよう制御する制御手段を更に備える
ことを特徴とする請求項１乃至９のいずれか１項に記載の画像処理装置。
【請求項１１】
前記フィルタ手段は、前記加重平均処理に係る重み係数を算出する際、前記制御手段による繰り返し処理回数に基づいて、前記フィルタ処理の処理内容を変更する
ことを特徴とする請求項１０に記載の画像処理装置。
【請求項１２】
第１画像と第２画像の差分画像を出力する画像処理方法であって、
入力手段が、前記第１画像及び前記第２画像を入力する入力工程と、
シフトベクトル計算手段が、前記第１画像及び前記第２画像それぞれに複数の関心領域を設定し、その関心領域毎に該第１画像及び該第２画像間のずれ量を表すシフトベクトルを計算するシフトベクトル計算工程と、
フィルタ手段が、前記シフトベクトルに対してフィルタ処理を実行するフィルタ工程と、
補間手段が、前記フィルタ工程でフィルタ処理されたシフトベクトルを補間する補間工程と、
位置合わせ手段が、前記補間工程で補間されたシフトベクトルに基づいて、前記第１画像及び前記第２画像を位置合わせする位置合わせ工程と、
差分演算手段が、前記位置合わせされた画像の対応する画素間で差分演算を行う差分演算工程と、
出力手段が、前記差分演算工程によって得られる差分画像を出力する出力工程と
を備えることを特徴とする画像処理方法。
【請求項１３】
コンピュータを、
前記第１画像及び前記第２画像を入力する入力手段と、
前記第１画像及び前記第２画像それぞれに複数の関心領域を設定し、その関心領域毎に該第１画像及び該第２画像間のずれ量を表すシフトベクトルを計算するシフトベクトル計算手段と、
前記シフトベクトルに対してフィルタ処理を実行するフィルタ手段と、
前記フィルタ手段でフィルタ処理されたシフトベクトルを補間する補間手段と、
前記補間手段で補間されたシフトベクトルに基づいて、前記第１画像及び前記第２画像を位置合わせする位置合わせ手段と、
前記位置合わせされた画像の対応する画素間で差分演算を行う差分演算手段と、
前記差分演算手段によって得られる差分画像を出力する出力手段として機能させる
ことを特徴とするプログラム。
【手続補正書】
【提出日】平成20年1月17日(2008.1.17)
【手続補正１】
【補正対象書類名】特許請求の範囲
【補正対象項目名】全文
【補正方法】変更
【補正の内容】
【特許請求の範囲】
【請求項１】
特定条件時に、
当否抽選確率が高確率である確率変動状態に突入する弾球遊技機において、
開閉することによって遊技球が入球し易い状態と入球し難い状態に変化する羽根部材を備えた入球装置と、
該入球装置内において、
遊技球が入球する毎に当否抽選を行うための当否乱数が抽出される始動口と、
前記確率変動状態時において、遊技球が入球することで前記当否抽選確率を高確率から低確率である通常確率に転落させる転落口と、
前記入球装置内に入球した遊技球が前記転落口に入球するか否かを振分ける振分け体と、
を設け、
前記入球装置内の上流部に前記転落口及び前記振分け体を、下流部に前記始動口を設けたことを特徴とする弾球遊技機。
【請求項２】
前記始動口に遊技球が入球したときに、前記当否抽選確率を高確率から低確率である通常確率に転落させるか否かを決定するための乱数が抽出され、
前記確率変動状態時において、該乱数を基に前記当否抽選確率を高確率から低確率である通常確率に転落させるか否かの決定を行い、
該決定された当否抽選確率を基に、前記当否乱数による当否抽選が行われることを特徴とする請求項１記載の弾球遊技機。
【手続補正２】
【補正対象書類名】明細書
【補正対象項目名】００１２
【補正方法】変更
【補正の内容】
【００１２】
前記課題を解決するため請求項１に記載の発明は、特定条件時に、当否抽選確率が高確率である確率変動状態に突入する弾球遊技機において、開閉することによって遊技球が入球し易い状態と入球し難い状態に変化する羽根部材を備えた入球装置と、該入球装置内において、遊技球が入球する毎に当否抽選を行うための当否乱数が抽出される始動口と、前記確率変動状態時において、遊技球が入球することで前記当否抽選確率を高確率から低確率である通常確率に転落させる転落口と、前記入球装置内に入球した遊技球が前記転落口に入球するか否かを振分ける振分け体と、を設け、前記入球装置内の上流部に前記転落口及び前記振分け体を、下流部に前記始動口を設けたことを特徴とする弾球遊技機である。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】変更
【補正の内容】
【００１８】
請求項２記載の発明は、前記始動口に遊技球が入球したときに、前記当否抽選確率を高確率から低確率である通常確率に転落させるか否かを決定するための乱数が抽出され、前記確率変動状態時において、該乱数を基に前記当否抽選確率を高確率から低確率である通常確率に転落させるか否かの決定を行い、該決定された当否抽選確率を基に、前記当否乱数による当否抽選が行われることを特徴とする請求項１記載の弾球遊技機である。
【手続補正８】
【補正対象書類名】明細書
【補正対象項目名】００１９
【補正方法】変更
【補正の内容】
【００１９】
請求項２に記載の「当否抽選確率を高確率から低確率である通常確率に転落させるか否かを決定するための乱数」を、当否乱数としても良い。即ち、一つの当否乱数により、当否抽選が行われ、且つ当否抽選確率を高確率から通常確率に転落させるか否かを決定する構成である。尚、請求項１〜２において、遊技球が転落口に入球したら、その旨を所定期間、図柄を表示する表示装置上に表示する構成とすることが望ましい。
【手続補正９】
【補正対象書類名】明細書
【補正対象項目名】００２９
【補正方法】変更
【補正の内容】
【００２９】
請求項１記載の発明によれば、始動口よりも上流部に転落口及び振分け体を設け、入球装置内に入球した全ての遊技球は、仮に転落口に入球してしまったものでも入球装置内の下流にある始動口に入球する構成であるので、入球装置内に遊技球が入球すれば、保留記憶が満杯でない限り、必ず当否抽選が行われることになり、例え転落口に遊技球が入球しても遊技者に期待感を残すことができる。
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】変更
【補正の内容】
【００３１】
請求項２記載の発明によれば、転落口と乱数との２種類で当否抽選確率を高確率から通常確率に転落させるか否かを決定することが出来る構成にすることにより、遊技球の挙動を興趣の対象とすることができ、且つ当否抽選確率を高確率から通常確率に転落させる確率を細かく設定できる。また、乱数により高確率から通常確率に転落した場合には、表示装置上で報知する構成にすることにより、転落口に遊技球が入球するか否かという遊技球の挙動による興趣と、表示装置上で当否抽選確率が高確率から通常確率に転落するか否かという興趣との２つの興趣をバランス良く遊技者の対象とすることできる。
【手続補正書】
【提出日】平成19年11月29日(2007.11.29)
【手続補正１】
【補正対象書類名】明細書
【補正対象項目名】０００２
【補正方法】変更
【補正の内容】
【０００２】
パチンコ機には遊技盤に球を発射するための弾球発射装置が備えられている。この弾球発射装置は、例えば特許文献１に示すような、槌先部により球を弾球する弾球槌と、弾球槌の近傍に配置されて弾球をガイドする案内溝が形成された球発射レールと、球発射レールの端部上方に配置されて発射前の球を一時静止させる球静止部材とを備えている。以上のように構成されたものは、槌先部を球静止部材により静止されている球に衝突させることにより球を発射することができるが、弾球は球発射レールに接して移動し、遊技盤の一側に設けられた円弧状の外側レールを介して遊技盤内に打ち込まれることになる。このように、弾球は球発射レールに接して発射されるので、球発射レールとの摺動抵抗により球の発射力が弱められたりして弾球軌道が安定しない、遊技盤を拡張して球の飛距離を長くする場合に発射力のより強い弾球発射装置が必要になるなどの問題があった。
【特許文献１】特開２００２−３５２４８号公報  (図１)
【手続補正書】
【提出日】平成19年12月6日(2007.12.6)
【手続補正１】
【補正対象書類名】特許請求の範囲
【補正対象項目名】全文
【補正方法】変更
【補正の内容】
【特許請求の範囲】
【請求項１】
図１０Ａ〜Ｅに示されるアミノ酸配列（配列番号１０）を有するＳＴＥＡＰ−３タンパク質。
【請求項２】
（ａ）図１０Ａ〜Ｅに示されるような配列（配列番号９）を有するポリヌクレオチドであって、ここでＴがまたＵであり得る、ポリヌクレオチド；（ｂ）請求項１記載のＳＴＥＡＰ−３タンパク質をコードするポリヌクレオチド；および（ｃ）（ａ）または（ｂ）のポリヌクレオチドに十分に相補的であるポリヌクレオチドからなる群より選択される、ポリヌクレオチド。
【請求項３】
癌細胞マーカーとしてのＳＴＥＡＰ−３タンパク質を検出するインビトロ診断薬剤としての、ＳＴＥＡＰ−３タンパク質に特異的に結合する抗体またはそのフラグメントの使用。
【請求項４】
請求項１記載のＳＴＥＡＰ−３タンパク質を発現する癌細胞の処置に使用する医薬の製造における、該タンパク質に特異的に結合する抗体またはそのフラグメントの使用。
【請求項５】
抗体またはそのフラグメントがモノクローナルである、請求項３または４記載の使用。
【請求項６】
癌細胞マーカーとしてのＳＴＥＡＰ−３タンパク質を検出するインビトロ診断薬剤としての、請求項５記載のモノクローナル抗体の抗原結合領域を含む組換えタンパク質の使用。
【請求項７】
請求項５記載のモノクローナル抗体の抗原結合領域を含む組換えタンパク質を発現する癌細胞の処置に使用する医薬の製造における、該組換えタンパク質の使用。
【請求項８】
抗体、フラグメント、または組換えタンパク質が検出可能なマーカーで標識される、請求項３もしくは４記載の抗体もしくはそのフラグメントの使用、または請求項６記載の組換えタンパク質の使用。
【請求項９】
検出可能なマーカーが放射性同位元素、金属キレート剤、酵素または蛍光化合物、生物発光化合物もしくは化学発光化合物を含む、請求項８記載の使用。
【請求項１０】
請求項１記載のＳＴＥＡＰ−３タンパク質を発現する癌細胞に対する癌治療において使用するための、該タンパク質に特異的に結合するモノクローナル抗体またはそのフラグメントであって、毒素、放射性同位元素または治療薬剤に結合される、モノクローナル抗体またはそのフラグメント。
【請求項１１】
リシン、リシンＡ鎖、ドキソルビシン、ダウノルビシン、メイタンシノイド、タキソール、エチジウムブロマイド、マイトマイシン、エトポシド、テノポシド、ビンクリスチン、ビンブラスチン、コルヒチン、ジヒドロキシアントラシンジオン、アクチノマイシン、ジフテリア毒素、Ｐｓｅｕｄｏｍｏｎａｓ外毒素（ＰＥ）Ａ、ＰＥ４０、アブリン、アブリンＡ鎖、モデシンＡ鎖、αサルシン、ゲロニン、マイトゲリン、リストリクトシン、フェノマイシン、エノマイシン、クリシン、クロチン、カリケアミシン、サパオナリアオフィシナリスインヒビター、またはグルココルチコイドを含む毒素に結合される、請求項１０記載のモノクローナル抗体またはそのフラグメント。
【請求項１２】
２１２Ｂｉ、１３１Ｉ、１３１Ｉｎ、９０Ｙ、または１８６Ｒｅを含む放射性同位元素に結合される、請求項１０記載のモノクローナル抗体またはそのフラグメント。
【請求項１３】
Ｆａｂ、Ｆ（ａｂ’）２、ＦｖまたはＳｆｖフラグメントである、請求項１０〜１２のいずれか１項記載の抗体またはフラグメント。
【請求項１４】
ヒト抗体または抗体フラグメントである、請求項１０〜１３のいずれか１項記載の抗体またはフラグメント。
【請求項１５】
マウス抗原結合領域残基およびヒト抗体残基を含む、請求項１０〜１３のいずれか１項記載の抗体またはフラグメント。
【請求項１６】
Ｆａｂ、Ｆ（ａｂ’）２、ＦｖまたはＳｆｖフラグメントである抗体フラグメントが使用される、請求項３〜５のいずれか１項記載の使用。
【請求項１７】
モノクローナル抗体がヒト抗体である、請求項５または６記載の使用。
【請求項１８】
モノクローナル抗体がマウス抗原結合領域残基およびヒト抗体残基を含む、請求項５または６項記載の使用。
【請求項１９】
生物学的サンプルにおいてＳＴＥＡＰ−３タンパク質の存在を検出するためのアッセイであって、該アッセイが、該サンプルと前記タンパク質に特異的な抗体またはそのフラグメントとを接触させる工程、および該サンプルにおけるＳＴＥＡＰ−３タンパク質の該抗体への結合を検出する工程を包含する、アッセイ。
【請求項２０】
生物学的サンプルにおいてＳＴＥＡＰ−３ポリヌクレオチドの存在を検出するためのアッセイであって、該アッセイが、以下：
（ａ）該サンプルと請求項２記載のポリヌクレオチドまたはその相補体に特異的にハイブリダイズするポリヌクレオチドプローブを接触させる工程；および
（ｂ）該サンプルにおいてＳＴＥＡＰ−３ポリヌクレオチドと該プローブとのハイブリダイゼーションによって形成されるハイブリダイゼーション複合体の存在を検出する工程、を包含し、ここで該ハイブリダイゼーション複合体の存在が該サンプル中のＳＴＥＡＰ−３ポリヌクレオチドの存在を示す、アッセイ。
【請求項２１】
生物学的サンプルにおいてＳＴＥＡＰ−３ ｍＲＮＡの存在を検出するアッセイであって、該アッセイが、以下：
（ａ）少なくとも１つのプライマーを使用する逆転写によって該サンプル由来のｃＤＮＡを生成する工程；
（ｂ）そのように生成される該ｃＤＮＡを、センスプライマーおよびアンチセンスプライマーとしてＳＴＥＡＰ−３ポリヌクレオチドを使用して増幅し、それによって該生物学的サンプル内でＳＴＥＡＰ−３ ｃＤＮＡを増幅する工程；
（ｃ）該増幅されたＳＴＥＡＰ−３ ｃＤＮＡの存在を検出する工程、を包含し、ここで、該センスプライマーおよびアンチセンスプライマーとして使用されるＳＴＥＡＰ−３ポリヌクレオチドが、図１０Ａ〜Ｅに示されるポリヌクレオチド（配列番号９）を増幅し得る、アッセイ。
【請求項２２】
請求項１０〜１５のいずれか１項記載の抗体もしくはそのフラグメント、請求項１記載のＳＴＥＡＰ−３タンパク質、あるいは請求項２記載のＳＴＥＡＰ−３ポリヌクレオチド、および生理学的に受容可能なキャリアを含む、薬学的組成物。
【請求項２３】
請求項１記載のＳＴＥＡＰ−３タンパク質、または請求項２記載のＳＴＥＡＰ−３ポリヌクレオチド、および生理学的に受容可能なキャリアを含む、ワクチン組成物。
【手続補正書】
【提出日】平成20年9月29日(2008.9.29)
【手続補正１】
【補正対象書類名】特許請求の範囲
【補正対象項目名】全文
【補正方法】変更
【補正の内容】
【特許請求の範囲】
【請求項１】
ダイゼインを資化してエコールを生産するダイゼイン資化能を有する、ヒトの腸内細菌と菌種特異的プライマーもしくは、ヒトの腸内細菌叢のダイゼインを資化してエコールを生産する能力を向上させる腸内細菌。
【請求項２】
前記腸内細菌の菌種特異的プライマーであって、配列番号３に示す配列の一部で選択的に検出可能であることを特徴とする、請求項１に記載の腸内細菌。
【請求項３】
前記腸内細菌は、ダイゼインを基質として２４時間後に測定したダイゼイン資化能が１．０％以上であることを特徴とする、請求項１に記載の腸内細菌。
【請求項４】
前記腸内細菌は、ダイゼインを基質として２４時間後に測定したダイゼイン資化能１０％以上であることを特徴とする、請求項１に記載の腸内細菌。
【請求項５】
前記腸内細菌は、ダイゼインを基質として２４時間後に測定したダイゼイン資化能２０％以上であることを特徴とする、請求項１に記載の腸内細菌。
【請求項６】
前記腸内細菌は、ダイゼインを基質として２４時間後に測定したダイゼイン資化能３０％以上であることを特徴とする、請求項１に記載の腸内細菌。
【請求項７】
前記腸内細菌は、エコール非生産性ヒトフローラに対してエコール生産性付与効果を有することを特徴とする、請求項１に記載の腸内細菌。
【請求項８】
前記腸内細菌は、エコール生産性ヒトフローラに対して２倍以上のエコール生産性向上効果を有することを特徴とする、請求項１に記載の腸内細菌。
【請求項９】
前記腸内細菌は、独立行政法人産業技術総合研究所特許生物寄託センターにおいて、受託番号ＦＥＲＭ  Ｐ−２０７２９号（受託日平成１７年１２月２日）として寄託されたか、受託番号ＦＥＲＭ  Ｐ−２０３２５号（受託日平成１６年１２月１６日）として寄託されたか、もしくは理化学研究所微生物系統保存施設の保存菌株であるＢｉｆｉｄｏｂａｃｔｅｒｉｕｍ  ｂｒｅｖｅ  ＪＣＭ  １２７３である請求項１に記載の腸内細菌。
【請求項１０】
プロバイオテイクスとして使用可能な細菌であることを特徴とする、請求項１に記載の腸内細菌。
【請求項１１】
デンプンまたはグリコーゲンを資化する能力を有することをさらに特徴とする、請求項１に記載の腸内細菌。
【請求項１２】
請求項１に記載の腸内細菌の複数の組み合わせ。
【請求項１３】
請求項１２に記載の腸内細菌の組み合わせ。
【請求項１４】
エコール生産能を向上させるための、請求項１〜１１のいずれか１項に記載の腸内細菌または請求項１２〜１３のいずれか１項に記載の組み合わせを含む組成物。
【請求項１５】
食品または医薬である、請求項１４に記載の組成物。
【請求項１６】
さらに他の有効成分を含む、請求項１４に記載の組成物。
【請求項１７】
前記腸内細菌は、液体中に溶解して提供される、請求項１４に記載の組成物。
【請求項１８】
前記腸内細菌は、固形状で提供される、請求項１４に記載の組成物。
【請求項１９】
前記腸内細菌は、凍結乾燥されて提供される、請求項１４に記載の組成物。
【請求項２０】
前記腸内細菌を胃液から保護する成分をさらに含む、請求項１４に記載の組成物
【請求項２１】
エコール生産能を向上させるための方法であって、請求項１〜１１のいずれか１項に記載の腸内細菌、請求項１２〜１３のいずれか１項に記載の組み合わせまたは請求項１４〜１２０のいずれか１項に記載の組成物を、処置が必要とされる被験体に投与する工程を包含する、方法。
【請求項２２】
ダイゼインを資化してエコールを生産するダイゼイン資化能を有するもしくはエコール生産能を向上させるための細菌を生産する方法であって、該細菌を含むことが予想されるサンプルを、ＥＧ培地を用いて培養する工程を包含する、方法。
【請求項２３】
ダイゼインを資化してエコールを生産するダイゼイン資化能を有する、ヒトの腸内細菌もしくはエコール生産能を向上させるヒトの腸内細菌を生産する方法であって、
Ａ）ヒトの腸由来物質または糞便を含むサンプルを提供する工程；
Ｂ）該サンプルを、ＥＧ培地を用いて、３７℃で培養する工程；
Ｃ）ブレインハートインフュージョン３７ｇ、寒天１ｇ、Ｌ−システイン塩酸０．５ｇ、炭酸ナトリウム  ４ｇを１リットルの蒸留水に加温溶解し、酸素フリーの炭酸ガスを吹き込みながら試験管に分注し、ブチルゴム栓をして、オートクレーブ滅菌処理を行って作製した反応液０．２ｍｌ中で、該サンプル中で菌濃度が約１０９／ｍｌになるように懸濁し、ダイゼイン１μｌ（２０ｍｇ／ｍｌ）を添加した後、簡易型嫌気性培養装置アネロパックで３７℃、２４時間インキュベーションする工程；
Ｄ）反応液中のイソフラボン類の分析を行う工程；および
Ｅ）ダイゼインまたはその誘導体を資化してエコールを生産するダイゼイン資化能を有する腸内細菌を選択し、生産する工程を包含する方法。
【請求項２４】
前記サンプルは、健康人の糞便に由来するサンプルである、請求項２３に記載の方法。
【請求項２５】
請求項２３〜２４のいずれか１項に記載の方法により調製される細菌。
【請求項２６】
エコールを含むもしくはエコール生産性を向上させる医薬を製造するための方法であって、請求項１〜１１のいずれか１項に記載の腸内細菌または請求項１２〜１３のいずれか１項に記載の組み合わせと、ダイゼインとを混合する工程、および混合された混合物を該腸内細菌が資化する条件下でインキュベートする工程を包含する、方法。
【請求項２７】
請求項１〜１１のいずれか１項に記載の腸内細菌または請求項１２〜１３のいずれか１項に記載の組み合わせと、ダイゼインとを混合する工程、および混合された混合物を該腸内細菌が資化する条件下でインキュベートする工程を包含する方法によって生産された、組成物。
【請求項２８】
請求項２６に記載の方法によって得られる細菌。
【請求項２９】
エコールを含む医薬を製造するための、請求項１〜１１のいずれか１項に記載の腸内細菌、請求項２７に記載の方法によって得られる細菌または請求項１２〜１３のいずれか１項に記載の組み合わせの使用。
【請求項３０】
エコール生産能を向上させるための医薬を生産するための、請求項１〜１１のいずれか１項に記載の腸内細菌、請求項２７に記載の方法によって得られる細菌または請求項１２〜１３のいずれか１項に記載の組み合わせの使用。
【手続補正書】
【提出日】平成20年1月22日(2008.1.22)
【手続補正１】
【補正対象書類名】特許請求の範囲
【補正対象項目名】全文
【補正方法】変更
【補正の内容】
【特許請求の範囲】
【請求項１】
遊技者に対向する遊技機前面にその前方に突出するようにして設けられ、遊技球の貯留領域を形成するための皿部材を備え、遊技に際し遊技球排出口から排出された遊技球を前記皿部材内に貯留し、該貯留した遊技球を遊技球取込口から順次取り込む構成とした遊技機において、
前記遊技球貯留領域の最下流部を、遊技球を整列した状態で前記遊技球取込口に案内する整列通路部とし、該整列通路部を、少なくとも前記遊技球取込口から上流側の所定区間で遊技機前面に対して垂直又は略垂直となるよう設けたことを特徴とする遊技機。
【請求項２】
前記整列通路部を、前記遊技球取込口に至るまでの範囲で円弧状に設けたことを特徴とする請求項１に記載の遊技機。
【請求項３】
前記整列通路部を、前記遊技球取込口又はその近傍から本遊技機の中央部に向かって延びるよう設けたことを特徴とする請求項１又は２に記載の遊技機。
【請求項４】
前記整列通路部には、当該通路部の高さ寸法を遊技球の径に合わせて規制し且つ当該通路部内を視認可能とするカバー部材を設けたことを特徴とする請求項１乃至３のいずれかに記載の遊技機。
【請求項５】
前記カバー部材を、前記皿部材に対して着脱可能となるよう構成したことを特徴とする請求項４に記載の遊技機。
【請求項６】
前記遊技球貯留領域として、前後に並び且つ上流側から下流側に向けて折り返すようにして少なくとも２つの貯留領域を設け、そのうち最も手前側の貯留領域の最下流部を前記整列通路部としたことを特徴とする請求項１乃至５のいずれかに記載の遊技機。
【手続補正書】
【提出日】平成20年1月22日(2008.1.22)
【手続補正１】
【補正対象書類名】特許請求の範囲
【補正対象項目名】全文
【補正方法】変更
【補正の内容】
【特許請求の範囲】
【請求項１】
遊技者に対向する遊技機前面にその前方に突出するようにして設けられ、遊技球の貯留領域を形成するための皿部材を備え、遊技に際し遊技球排出口から排出された遊技球を前記皿部材内に貯留し、該貯留した遊技球を遊技球取込口から順次取り込む構成とした遊技機において、
前記遊技球貯留領域として、前後に並び且つ上流側から下流側に向けて折り返すようにして少なくとも２つの貯留領域を設け、そのうち奥側の貯留領域が前記遊技球排出口に通じ、最も手前側の貯留領域が前記遊技球取込口に通じるように構成したことを特徴とする遊技機。
【請求項２】
前記遊技球排出口と前記遊技球取込口とを、遊技機の中心線を基準として片側であって、前記遊技球取込口を前記遊技球排出口よりも外側になるように設けたことを特徴とする請求項１に記載の遊技機。
【請求項３】
遊技機本体の左右何れかの端部を軸線として当該遊技機本体に対して開閉可能となる扉体に前記皿部材を設けた構成において、前記遊技球排出口と前記遊技球取込口とを、前記扉体の軸線寄りに設けたことを特徴とする請求項２に記載の遊技機。
【請求項４】
前記遊技球貯留領域のうち前記最も手前側の貯留領域の最下流部を、遊技球を整列した状態で前記遊技球取込口に案内する整列通路部としたことを特徴とする請求項１乃至３のいずれかに記載の遊技機。
【請求項５】
前記整列通路部を、前記遊技球取込口に至るまでの範囲で円弧状に設けたことを特徴とする請求項４に記載の遊技機。
【手続補正書】
【提出日】平成20年1月22日(2008.1.22)
【手続補正１】
【補正対象書類名】特許請求の範囲
【補正対象項目名】全文
【補正方法】変更
【補正の内容】
【特許請求の範囲】
【請求項１】
遊技者に対向する遊技機前面にその前方に張り出すようにして設けられ、遊技球貯留領域を形成するための皿部材を備え、遊技に際し前記皿部材内に貯留された遊技球を遊技球取込口から順次取り込む構成とした遊技機において、
前記遊技球貯留領域として、前後に並列に少なくとも２つの貯留領域を設け、そのうち後側の貯留領域を上流領域、前側の貯留領域を前記遊技球取込口に通じる下流領域とすると共に、前記皿部材において前記下流領域を区画するための前面壁の高さを、前記上流領域を区画するための前面壁の高さよりも低くしたことを特徴とする遊技機。
【請求項２】
前記下流領域を区画するための前面壁の高さを、該下流領域の底面の傾斜に合わせて下流側ほど低くしたことを特徴とする請求項１に記載の遊技機。
【請求項３】
前記下流領域のうち少なくとも前記遊技球取込口の直前領域を含む部位を、遊技球を整列する整列通路部としたことを特徴とする請求項１又は２に記載の遊技機。
【請求項４】
前記整列通路部には、当該通路部の高さ寸法を遊技球の径に合わせて規制し且つ当該通路部内を視認可能とするカバー部材を設けたことを特徴とする請求項３に記載の遊技機。
【請求項５】
前記整列通路部を、前記遊技球取込口に至るまでの範囲で円弧状に設けたことを特徴とする請求項３又は４に記載の遊技機。
【請求項６】
前記整列通路部を、少なくとも前記遊技球取込口から上流側の所定区間で遊技機前面部に対して垂直又は略垂直となるよう設けたことを特徴とする請求項３乃至５のいずれかに記載の遊技機。
【手続補正書】
【提出日】平成20年1月22日(2008.1.22)
【手続補正１】
【補正対象書類名】特許請求の範囲
【補正対象項目名】全文
【補正方法】変更
【補正の内容】
【特許請求の範囲】
【請求項１】
遊技者に対向する遊技機前面にその前方に突出するようにして設けられ、遊技球の貯留領域を形成するための皿部材を備え、遊技に際し遊技球排出口から排出された遊技球を前記皿部材内に貯留し、該貯留した遊技球を遊技球取込口から順次取り込む構成とした遊技機において、
前記遊技球貯留領域の最下流部を、遊技球を整列した状態で前記遊技球取込口に案内する整列通路部とし、該整列通路部に、当該通路部の高さ寸法を遊技球の径に合わせて規制し且つ当該通路部内を視認可能とするカバー部材を設けたことを特徴とする遊技機。
【請求項２】
前記整列通路部を囲む手前側の壁部を透明材料で構成し、当該通路部内の視認が可能となる構成としたことを特徴とする請求項１に記載の遊技機。
【請求項３】
前記整列通路部として、遊技球を一列ずつ整列させるための球通路を複数列設けたことを特徴とする請求項１又は２に記載の遊技機。
【請求項４】
前記遊技球貯留領域として、前後に並び且つ上流側から下流側に向けて折り返すようにして少なくとも２つの貯留領域を設け、そのうち最も手前側の貯留領域の最下流部を前記整列通路部としたことを特徴とする請求項１乃至３のいずれかに記載の遊技機。
【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
撮像手段が設けられた内視鏡挿入部と、操作部と、装置本体部と、この装置本体部と前記操作部とを接続するケーブルとを備えた内視鏡装置において、
前記ケーブルと前記操作部とが、ケーブル側連結部を介して互いに回動可能に連結されており、
前記ケーブル側連結部によって、前記ケーブルと前記操作部とが常に導電されていることを特徴とする内視鏡装置。
【請求項２】
前記ケーブル側連結部は、前記ケーブルに電気的に接続される端子を有し、
前記ケーブルが、前記ケーブル側連結部の前記端子に当接する当接端子を有することを特徴とする請求項１に記載の内視鏡装置。
【請求項３】
前記ケーブル側連結部は円周面を有し、このケーブル側連結部の前記端子が、前記円周面の全周にわたる環状のリング端子であることを特徴とする請求項２に記載の内視鏡装置。
【請求項４】
前記当接端子は弾性部材を有し、この弾性部材により前記当接端子が前記ケーブル側連結部の前記端子に対して付勢されることで、前記ケーブルと前記操作部とが常に導電されていることを特徴とする請求項２又は請求項３に記載の内視鏡装置。
【請求項５】
前記内視鏡挿入部と前記操作部とを回動可能に連結する挿入部側連結部を備え、
前記内視鏡挿入部と前記操作部とが、前記挿入部側連結部を介して互いに回動可能に連結されており、前記挿入部側連結部によって、前記内視鏡挿入部と前記操作部とが常に導電されていることを特徴とする請求項１〜請求項４に記載の内視鏡装置。
【請求項６】
前記ケーブル側連結部と、前記操作部側連結部とが一体であることを特徴とする請求項５に記載の内視鏡装置。
【請求項７】
撮像手段が設けられた内視鏡挿入部と、操作部とを備えた内視鏡装置において、
前記内視鏡挿入部と前記操作部とが、挿入部側連結部を介して互いに回動可能に連結されており、
前記挿入部側連結部によって、前記内視鏡挿入部と前記操作部とが常に導電されていることを特徴とする内視鏡装置。
【手続補正２】
【補正対象書類名】明細書
【補正対象項目名】０００５
【補正方法】変更
【補正の内容】
【０００５】
上記課題を解決するために、本発明は以下の手段を提供する。
請求項１に係る発明は、撮像手段が設けられた内視鏡挿入部と、操作部と、装置本体部と、この装置本体部と前記操作部とを接続するケーブルとを備えた内視鏡装置であって、前記ケーブルと前記操作部とが、ケーブル側連結部を介して互いに回動可能に連結されており、前記ケーブル側連結部によって、前記ケーブルと前記操作部とが常に導電されていることを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
本発明によれば、内視鏡挿入部を捻っても、ねじれの発生が防止されることから、内視鏡挿入部の耐久性や操作性を向上させることができ、迅速かつ容易に検査を行うことができる。また本発明によれば、ユニバーサルコードを捻っても、ユニバーサルコードのねじれも直ちに解消することができることから、操作性を向上させることができる。
【手続補正書】
【提出日】平成20年1月28日(2008.1.28)
【手続補正１】
【補正対象書類名】明細書
【補正対象項目名】００３０
【補正方法】変更
【補正の内容】
【００３０】
なお、本実施形態においては、肌に近い側の面及び肌から遠い側の面の何れも、その面の全域が通気性を有しているが、発熱温度の制御等の理由により、当該面の一部に通気性を有していない領域を形成することがある。例えば、発熱具の一面が、透湿度ｘ（ｇ／ｍ2・２４ｈｒ）の通気層から構成されていて、且つ該透湿性シートの面積のうちのｙ（％）を難透湿性シートで目張りして、通気性を有していない領域を形成する場合がある。その場合、当該面の透湿度はｘ×（１００−ｙ）／１００となる。
【手続補正２】
【補正対象書類名】明細書
【補正対象項目名】００３１
【補正方法】変更
【補正の内容】
【００３１】
また本実施形態においては、第１の通気層１０ａは、第１の透湿性シート３ａ及び不織布３ｄからなり、不織布３ｄは第１の透湿性シート３ａに比較して透湿度が十分に大きいから、第１の通気層１０ａの透湿度は、第１の透湿性シート３ａの透湿度と実質的に同じになる。同様に、第２の通気層１０ｂの透湿度は、第２の透湿性シート３ｂの透湿度と実質的に同じになる。
【手続補正書】
【提出日】平成19年11月21日(2007.11.21)
【手続補正１】
【補正対象書類名】明細書
【補正対象項目名】０００９
【補正方法】変更
【補正の内容】
【０００９】
この発明によれば、延長整地体は、これが整地姿勢になると、延長整地体が圃場の表面に接する接地線が整地体幅方向に対して進行方向前側に傾斜することにより、延長整地体が整地姿勢にあるときに耕耘装置が進行方向前側に移動すると、伝動ケースによって整地体幅方向の外側に押し出された土塊は、接地線よりも前側の延長整地体に当接して向きを変えて伝動ケース側に移動する。このため、押し出された土塊の多くを伝動ケース側に移動させることができ、伝動ケースによって圃場に形成された溝内にこれらの土塊を埋め戻すことができる。その結果、溝を埋めるのに必要な量の土が溝内に供給されて、溝を均平にすることができる。さらには、隣接耕耘により表面に段差が生じるような場合でも、土塊の移動がスムースで圃場表面全体を均平にすることができる。
【手続補正２】
【補正対象書類名】明細書
【補正対象項目名】００１０
【補正方法】変更
【補正の内容】
【００１０】
また本発明は、延長整地体が、整地体の端部に上下方向に回動自在に取り付けられて、耕深を変更しても圃場の表面に略水平に接することを特徴とする。
【手続補正３】
【補正対象書類名】明細書
【補正対象項目名】００１１
【補正方法】変更
【補正の内容】
【００１１】
この発明によれば、延長整地体は、整地体の端部に上下回動自在に取り付けられて、耕深を変更しても圃場の表面に略水平に接することにより、整地体の接地角度に拘らずに、延長整地体の姿勢は常に略水平状態になるので、溝を埋め戻すために土を溝側に移動させるための延長整地体の戻し機能を安定化することができる。
【手続補正４】
【補正対象書類名】明細書
【補正対象項目名】００１５
【補正方法】変更
【補正の内容】
【００１５】
この発明によれば、延長整地体は耕耘幅方向に対して前方に傾斜した軸線を中心とした円弧状の接地面を有してなることにより、整地体の接地角度が変化すると、延長整地体は、整地体の回動支点を中心として回動するとともに、整地体に対して上下方向に回動して圃場の表面に当接して、接地線は略平行になる。このときの接地線は整地体の接地角度に応じて前後方向に移動する。つまり、接地面を円弧状にすると、整地体の接地角度に拘らずに、圃場の表面に接触する接地線を常に略同一状態で接地させることができ、その結果として安定した土の戻し機能を発揮させることができる。
【手続補正５】
【補正対象書類名】明細書
【補正対象項目名】００２４
【補正方法】変更
【補正の内容】
【００２４】
ところで、接地線Ｓが左右方向に対して進行方向前側に傾斜させた状態でも延長整地体３０を整地体２０に固定すると、特定の耕深（ここでは図３（ｂ）の耕深の大きさ中）においては、接地線Ｓを水平状態にすることができ所望の性能を発揮させることができるが、特定の耕深よりも大きな又は小さな耕深にすると、図３（ａ）に示すように、整地体２０が上方に回動して、延長整地体３０は接地線Ｓが斜め下方に傾斜した状態になったり、図３（ｃ）に示すように、整地体２０が下方に回動して、延長整地体３０は接地線Ｓが斜め上方に傾斜した状態になる。従って、溝を埋め戻すための土の量が減少して、溝を均平にするという所望の性能を発揮させることができなくなってしまうことがある。つまり、延長整地体３０を整地体２０に固定してしまうと、性能を発揮できる範囲が狭くなってしまう。
【手続補正６】
【補正対象書類名】明細書
【補正対象項目名】００２５
【補正方法】変更
【補正の内容】
【００２５】
そこで、前述したように、延長整地体３０を整地体２０に上下方向に回動自在に設けると、図４の（ａ）から（ｃ）に示すように、耕深の大きさが大、中、小に変化して、整地体２０の接地角度が小、中、大に変化しても、延長整地体３０は、整地体２０の接地角度に応じて上下方向に回動して、圃場Ｈの表面に接触した状態になる。このため、延長整地体３０の接地線Ｓは圃場表面に直線状に接触し、この圃場に接触した接地線Ｓは、略水平状態に延びる。このため、整地体２０の接地角度に拘らずに、延長整地体３０の姿勢は常に略水平状態になり、溝を埋め戻すための土を溝側に移動させる延長整地体３０の戻し機能を安定化させることができ、溝を常に均平にすることができる。なお、延長整地体３０が、整地体２０の接地面より下方に回動可能であれば、深耕が浅くなっても図３（ｃ）のように接地線Ｓが斜め上方に傾斜することなく有効に作用することができる。その結果、耕深の大きさに拘らずに、常に溝を均平にすることができる。また延長整地体３０が、耕耘幅方向に対して前方に傾斜した軸線を中心とした円弧状の接地面４０ａを有してなることにより、圃場の表面に接触する接地線Ｓを略同一状態で接地させることができ、また延長整地体３０は、整地姿勢において水平状態になることと相まって、安定した土の戻し機能を発揮させることができる。
【手続補正書】
【提出日】平成20年1月11日(2008.1.11)
【手続補正１】
【補正対象書類名】特許請求の範囲
【補正対象項目名】請求項２
【補正方法】変更
【補正の内容】
【請求項２】
シクロデキストリン誘導体が、メチル-β-シクロデキストリン、ヒドロキシプロピル-β-シクロデキストリン、グルコシル-β-シクロデキストリン、マルトシル-β-シクロデキストリンおよびスルフォブチル-β-シクロデキストリン、ならびにこれらのα体およびγ体からなる群より選択される１種または２種以上である、請求項１に記載の前培養培地。
【手続補正２】
【補正対象書類名】特許請求の範囲
【補正対象項目名】請求項４
【補正方法】変更
【補正の内容】
【請求項４】
解糖系中間体物質が、ホスホエノールピルビン酸、α-D-グルコース6-リン酸、α-D-フルクトース6-リン酸、D-フルクトース1,6-二リン酸、ジヒドロキシアセトンリン酸、D-グリセルアルデヒド3-リン酸、D-グリセルアルデヒド3-リン酸、1,3-ジホスホグリセリン酸、3-ホスホグリセリン酸および2-ホスホグリセリン酸からなる群より選択される１種または２種以上である、請求項１〜３のいずれかに記載の前培養培地。
【手続補正３】
【補正対象書類名】明細書
【補正対象項目名】０００９
【補正方法】変更
【補正の内容】
【０００９】
すなわち、本発明は、シクロデキストリン誘導体ならびに、アミノ酸および／または解糖系中間体物質を含有する、体外受精用の精子前培養培地に関する。
また、本発明は、シクロデキストリン誘導体が、メチル-β-シクロデキストリン、ヒドロキシプロピル-β-シクロデキストリン、グルコシル-β-シクロデキストリン、マルトシル-β-シクロデキストリンおよびスルフォブチル-β-シクロデキストリン、ならびにこれらのα体およびγ体からなる群より選択される１種または２種以上である、前記前培養培地に関する。
さらに本発明は、アミノ酸が、グリシン、アラニン、およびグルタミンからなる群より選択される１種または２種以上である、前記の前培養培地に関する。
【手続補正４】
【補正対象書類名】明細書
【補正対象項目名】００１０
【補正方法】変更
【補正の内容】
【００１０】
さらにまた、本発明は、解糖系中間体物質が、ホスホエノールピルビン酸、α-D-グルコース6-リン酸、α-D-フルクトース6-リン酸、D-フルクトース1,6-二リン酸、ジヒドロキシアセトンリン酸、D-グリセルアルデヒド3-リン酸、D-グリセルアルデヒド3-リン酸、1,3-ジホスホグリセリン酸、3-ホスホグリセリン酸および2-ホスホグリセリン酸からなる群より選択される１種または２種以上である、前記の前培養培地に関する。
また、本発明は、シクロデキストリン誘導体の含有量が0.1〜20mMである、前記の前培養培地に関する。
本発明はさらに、アミノ酸の含有量が1〜200mMである、前記の前培養培地に関する。
【手続補正５】
【補正対象書類名】明細書
【補正対象項目名】００１６
【補正方法】変更
【補正の内容】
【００１６】
本発明の前培養培地に含有されるシクロデキストリン誘導体は、凍結精子に対しては、凍結保存剤のコレステロール等によって傷害された精子細胞膜から、その傷害の原因となっているコレステロールを包接して取り除くことにより、細胞膜上のシグナル伝達分子が受精能を獲得する際に活性化できるように作用する。したがって、本発明の前培養培地に用いられるシクロデキストリン誘導体は、水溶性であり、かつコレステロールを包接する性質を有するものであれば、特に限定されないが、６個のグルコースがα−1,4結合で環状に結合したα−シクロデキストリン骨格、７個のグルコースがα−1,4結合で環状に結合したβ−シクロデキストリン骨格、または８個のグルコースがα−1,4結合で環状に結合したγ−シクロデキストリン骨格を有するものが好ましい。このような好ましいシクロデキストリン誘導体としては、メチル-β-シクロデキストリン、ヒドロキシプロピル-β-シクロデキストリン、グルコシル-β-シクロデキストリン、マルトシル-β-シクロデキストリン、スルフォブチル-β-シクロデキストリン、ならびにこれらのα体（すなわち、メチル-α-シクロデキストリン、ヒドロキシプロピル-α-シクロデキストリン、グルコシル-α-シクロデキストリン、マルトシル-α-シクロデキストリンおよびスルフォブチル-α-シクロデキストリン）およびγ体（すなわち、メチル-γ-シクロデキストリン、ヒドロキシプロピル-γ-シクロデキストリン、グルコシル-γ-シクロデキストリン、マルトシル-γ-シクロデキストリンおよびスルフォブチル-γ-シクロデキストリン）を挙げることができ、これらのうち、メチル-β-シクロデキストリンが特に好ましい。
【手続補正６】
【補正対象書類名】明細書
【補正対象項目名】００１９
【補正方法】変更
【補正の内容】
【００１９】
本発明の前培養培地における解糖系中間体物質は、上記のシクロデキストリン誘導体と共に前培養培地に含有されることにより、精子が充分に受精能を獲得することができるものであればよく、特に限定されない。また、解糖系は、グルコースがピルビン酸または乳酸にまで分解される代謝経路を指すから、解糖系中間体物質にはグルコース、ピルビン酸および乳酸は含まれない。よって、本発明において用いられる解糖系中間体物質は、精子が充分に受精能を獲得する際に惹起されるシグナル伝達経路の活性化に対して補完的に作用するものが好ましく、解糖系において異化的経路（ATPを産生する方向に働く経路）の基質となる中間体物質がより好ましく、このようなものの例としては、ホスホエノールピルビン酸、α-D-グルコース6-リン酸、α-D-フルクトース6-リン酸、D-フルクトース1,6-二リン酸、ジヒドロキシアセトンリン酸、D-グリセルアルデヒド3-リン酸、D-グリセルアルデヒド3-リン酸、1,3-ジホスホグリセリン酸、3-ホスホグリセリン酸および2-ホスホグリセリン酸が挙げられる。これらのうち、ホスホエノールピルビン酸が特に好ましい。
【手続補正書】
【提出日】平成20年1月9日(2008.1.9)
【手続補正１】
【補正対象書類名】特許請求の範囲
【補正対象項目名】全文
【補正方法】変更
【補正の内容】
【特許請求の範囲】
【請求項１】
Ｘ線源からＸ線を照射し、Ｘ線源に対向して配置された検出器によって被検体を撮影するＸ線撮影手段と、
前記Ｘ線源と前記検出器を被検体の周囲に回転させるスキャナ回転手段と、
前記スキャナ回転手段に載置され前記被検体を撮影する可視光撮影手段と、
前記Ｘ線撮影手段で撮影した投影像から再構成演算手段によってＸ線３次元再構成画像の生成を行うと共に前記可視光撮影手段の撮影結果から可視光３次元画像を再構成する画像処理装置と、
前記画像処理装置で作成された前記Ｘ線３次元再構成画像及び前記可視光３次元画像を重ね合わせて表示する表示手段と
を備えたことを特徴とするＸ線断層撮影装置。
【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
医用画像診断装置で患者の関心部位を時間的、あるいは位置的に連続して撮影した複数枚のシリーズ画像を行と列からなるマトリックス状のレイアウトに配置する医用画像フィルミング装置であって、前記患者のシリーズ画像を含む画像及びその付帯情報と前記部位別のレイアウトを含むレイアウトを有するデータベースと、このデータベースから指定した患者のフィルミングするシリーズ画像を選択する手段と、この選択したシリーズ画像に対応するレイアウトを前記データベースから取得する手段と、この取得したレイアウトに前記シリーズ画像を配置する方向を決定する手段と、この決定した配置方向に基づいて前記取得したレイアウトに前記シリーズ画像を配置する手段と、を備えたことを特徴とする医用画像フィルミング装置。
【請求項２】
請求項１において、前記指定した患者のシリーズ画像のシリーズ数が一つにおける画像を、前記シリーズ画像の走査順に前記レイアウトの行方向又は列方向に配置する手段を備えたことを特徴とする医用画像のフィルミング装置。
【請求項３】
請求項１において、前記取得したレイアウトは前記部位別のレイアウトであることを特徴とする医用画像フィルミング装置。
【請求項４】
請求項１において、前記データベースから前記選択されたシリーズ画像に対応するスキャノグラム画像を選択する手段と、この選択されたスキャノグラム画像と前記シリーズ画像とを併置する手段と、を備えたことを特徴とする医用画像フィルミング装置。
【手続補正２】
【補正対象書類名】明細書
【補正対象項目名】発明の名称
【補正方法】変更
【補正の内容】
【発明の名称】医用画像フィルミング装置
【手続補正３】
【補正対象書類名】明細書
【補正対象項目名】０００１
【補正方法】変更
【補正の内容】
【０００１】
本発明は、医用画像診断装置で撮影された複数枚の画像をフィルミングする医用画像フィルミング装置に関し、特に時間的、あるいは位置的に連続して撮影した関心部位の複数枚のシリーズ画像を容易に比較検討できるようにするための医用画像フィルミング装置に関する。
【手続補正４】
【補正対象書類名】明細書
【補正対象項目名】０００７
【補正方法】変更
【補正の内容】
【０００７】
本発明の目的は、上記課題に鑑みてなされたものであって、X線CT装置やMRI装置等で撮影した画像をフィルム等の記録媒体に記録するシリーズ画像を配置する画像配置レイアウト及び前記シリーズ画像の配置方向を該シリーズ画像の付帯情報から自動的に決定して、前記レイアウトの設定及び画像配置の手間を省くと共に読影が容易な医用画像フィルミング装置を提供することにある。
【手続補正５】
【補正対象書類名】明細書
【補正対象項目名】０００８
【補正方法】変更
【補正の内容】
【０００８】
上記課題を解決するための本発明の医用画像フィルミング装置は、以下によって達成される。
(１)医用画像診断装置で患者の関心部位を時間的、あるいは位置的に連続して撮影した複数枚のシリーズ画像を行と列からなるマトリックス状のレイアウトに配置する医用画像フィルミング装置であって、前記患者のシリーズ画像を含む画像及びその付帯情報と前記部位別のレイアウトを含むレイアウトを有するデータベースと、このデータベースから指定した患者のフィルミングするシリーズ画像を選択する手段と、この選択したシリーズ画像に対応するレイアウトを前記データベースから取得する手段と、この取得したレイアウトに前記シリーズ画像を配置する方向を決定する手段と、この決定した配置方向に基づいて前記取得したレイアウトに前記シリーズ画像を配置する手段とを備えて医用画像をフィルミングするものである。
【手続補正６】
【補正対象書類名】明細書
【補正対象項目名】００１６
【補正方法】削除
【補正の内容】
【手続補正７】
【補正対象書類名】明細書
【補正対象項目名】００１８
【補正方法】変更
【補正の内容】
【００１８】
本発明に係る医用画像フィルミング装置の好ましい実施の形態について、X線CT装置で撮影した画像のフィルミングを例にあげて、以下、添付図面に従って詳細に説明する。
【手続補正書】
【提出日】平成20年3月13日(2008.3.13)
【手続補正１】
【補正対象書類名】特許請求の範囲
【補正対象項目名】全文
【補正方法】変更
【補正の内容】
【特許請求の範囲】
【請求項１】
複数の図柄が変動表示される変動表示手段と、
前記変動表示手段を表示制御する制御手段と、
を備えた遊技機において、
音声を出力する複数の電気音響変換手段と、
音声を出力するよう前記複数の電気音響変換手段を出力制御する音声出力制御手段と、
を備え、
前記変動表示手段は、前記複数の電気音響交換手段のうち第１電気音響交換手段と第２電気音響交換手段との間に配置されていることを特徴とする遊技機。
【請求項２】
前記音声出力制御手段は、出力される音声が２次元音像となるように前記第１電気音響交換手段及び前記第２音響交換手段を制御することを特徴とする請求項１に記載の遊技機。
【請求項３】
前記音声出力制御手段は、前記変動表示手段による変動表示状態に応じて前記複数の電気音響変換手段を出力制御することを特徴とする請求項１又は２に記載の遊技機。